(57)【特許請求の範囲】
【請求項１】
供給される水を加熱して出湯する熱交換器と、該熱交換器を加熱するバーナと、該バーナの燃焼量を調節する燃焼量調節手段と、所定条件に応じて該バーナの目標燃焼量を決定する目標燃焼量決定手段と、前記燃焼量調節手段により前記バーナの燃焼量を前記目標燃焼量に制御する燃焼量制御手段と、前記熱交換器から出湯される湯の温度を検出する熱交温度センサと、前記熱交換器に供給される水の流量を調節する熱交流量調節手段と、前記熱交温度センサの検出温度が所定のドレン防止温度となるように前記熱交換器に供給される水の流量を前記熱交流量調節手段により調節する熱交流量制御手段とを備えたフロー式水加熱装置において、
前記熱交換器は給水管から供給される水を加熱して給湯管に出湯し、
前記熱交換器をバイパスして該給水管と該給湯管とを連通するバイパス管と、前記熱交流量調節手段であって前記熱交換器を流れる水の流量と前記バイパス管を流れる水の流量との比であるバイパス比を調節するバイパス比調節手段と、前記給湯管と前記バイパス管との合流箇所の下流側に供給される湯の温度を検出する給湯温度センサと、
前記バーナの燃焼量と前記熱交換器にドレンが生じない下限温度との相関データを予め記憶した記憶手段と、
前記相関データに基づいて、前記目標燃焼量に対応した前記下限温度付近に前記ドレン防止温度を設定するドレン防止温度設定手段とを備え、
前記目標燃焼量決定手段は、前記所定条件として、前記給湯温度センサの検出温度が所定の目標給湯温度と一致するように前記目標燃焼量を決定し、
前記熱交流量制御手段は、前記バイパス比調節手段により前記バイパス比を変更することによって、前記熱交換器に供給される水の流量を調節することを特徴とするフロー式水加熱装置。
【請求項２】
供給される水を加熱して出湯する熱交換器と、該熱交換器を加熱するバーナと、該バーナの燃焼量を調節する燃焼量調節手段と、所定条件に応じて該バーナの目標燃焼量を決定する目標燃焼量決定手段と、前記燃焼量調節手段により前記バーナの燃焼量を前記目標燃焼量に制御する燃焼量制御手段と、前記熱交換器から出湯される湯の温度を検出する熱交温度センサと、前記熱交換器に供給される水の流量を調節する熱交流量調節手段と、前記熱交温度センサの検出温度が所定のドレン防止温度となるように前記熱交換器に供給される水の流量を前記熱交流量調節手段により調節する熱交流量制御手段とを備えたフロー式水加熱装置において、
前記熱交換器は循環回路を介して浴槽と連通し、
前記浴槽内の水を前記循環回路及び前記熱交換器を介して循環させるポンプと、前記浴槽内の湯の温度を検出する風呂温度センサと、前記熱交流量調節手段であって前記ポンプの送水流量を変更することにより前記循環回路内を循環する水の流量を調節する循環流量調節手段と、
前記バーナの燃焼量と前記熱交換器にドレンが生じない下限温度との相関データを予め記憶した記憶手段と、
前記相関データに基づいて、前記目標燃焼量に対応した前記下限温度付近に前記ドレン防止温度を設定するドレン防止温度設定手段とを備え、
前記目標燃焼量決定手段は、前記所定条件として、所定の目標追焚き温度と前記風呂温度センサの検出温度との差に応じて前記目標燃焼量を決定し、
前記熱交流量制御手段は、前記循環流量調節手段により前記循環回路内を循環する水の流量を変更することによって、前記熱交換器に供給される水の流量を調節することを特徴とするフロー式水加熱装置。
【請求項３】
供給される水を加熱して出湯する熱交換器と、該熱交換器を加熱するバーナと、該バーナの燃焼量を調節する燃焼量調節手段と、所定条件に応じて該バーナの目標燃焼量を決定する目標燃焼量決定手段と、前記燃焼量調節手段により前記バーナの燃焼量を前記目標燃焼量に制御する燃焼量制御手段と、前記熱交換器から出湯される湯の温度を検出する熱交温度センサと、前記熱交換器に供給される水の流量を調節する熱交流量調節手段と、前記熱交温度センサの検出温度が所定のドレン防止温度となるように前記熱交換器に供給される水の流量を前記熱交流量調節手段により調節する熱交流量制御手段とを備えたフロー式水加熱装置において、
前記熱交換器は循環回路を介して暖房端末と連通し、
前記熱交換器で加熱された水を前記循環回路を介して前記暖房端末に供給すると共に、前記暖房端末で放熱された水を前記熱交換器に回収するポンプと、
前記熱交換器をバイパスして前記循環回路の上流側と下流側を連通するバイパス管と、前記熱交流量調節手段であって前記熱交換器を流れる水の流量と前記バイパス管を流れる水の流量との比であるバイパス比を調節するバイパス比調節手段と、前記循環回路と前記バイパス管との合流箇所の下流側に供給される湯の温度を検出する給湯温度センサと、
前記バーナの燃焼量と前記熱交換器にドレンが生じない下限温度との相関データを予め記憶した記憶手段と、
前記相関データに基づいて、前記目標燃焼量に対応した前記下限温度付近に前記ドレン防止温度を設定するドレン防止温度設定手段とを備え、
前記目標燃焼量決定手段は、前記所定条件として、前記給湯温度センサの検出温度が所定の目標給湯温度と一致するように前記目標燃焼量を決定し、
前記熱交流量制御手段は、前記バイパス比調節手段により前記バイパス比を変更することによって前記熱交換器に供給される水の流量を調節することを特徴とするフロー式水加熱装置。
【請求項４】
前記バーナは複数のバーナブロックから構成され、
前記記憶手段は、燃焼させるバーナブロックの組合わせ毎に、前記バーナの燃焼量と前記熱交換器にドレンが生じない下限温度との相関データを記憶し、
前記ドレン防止温度設定手段は、燃焼中のバーナブロックの組合わせに応じた前記相関データを選択し、選択した該相関データに基づいて前記ドレン防止温度を設定することを特徴とする請求項１から請求項３のうちいずれか１項記載のフロー式水加熱装置。
【請求項５】
前記ドレン防止温度設定手段は、前記バーナの点火がなされてから所定時間内は、前記ドレン防止温度を前記下限温度よりも所定温度以上高く設定することを特徴とする請求項１から請求項４のうちいずれか１項記載のフロー式水加熱装置。
【発明の詳細な説明】
【０００１】
【発明の属する技術分野】
本発明は、熱交換器からの出湯温度を所定温度以上に維持することによって、熱交換器からドレンが発生することを防止するフロー式水加熱装置に関する。
【０００２】
【従来の技術】
従来より、フロー式水加熱装置として、例えば、バーナにより加熱される熱交換器を有し、給水管から供給される水を該熱交換器で加熱することによって、所定の目標給湯温度の湯を給湯管に出湯するガス給湯装置が知られている。
【０００３】
かかるガス給湯装置においては、熱交換器からの出湯温度が低くなって熱交換器の周囲においてバーナの燃焼排ガスの温度が低くなると、燃焼排ガスの水蒸気がドレンとなって熱交換器の表面に付着するようになる。そして、このようにドレンが付着すると、熱交換器の腐食が生じて熱交換器の劣化が生じるという不都合がある。
【０００４】
そこで、熱交換器をバイパスして給水管と給湯管を連通するバイパス管と、熱交換器に供給される水の流量に対するバイパス管に供給される水の流量の比（バイパス比）を調節するためのバイパスサーボ弁を備え、熱交換器から出湯される湯の温度が、ドレンが生じないように予め定められたドレン防止温度となるように、バイパス比を調節して熱交換器に供給される水の流量を制御するガス給湯装置が提案されている。
【０００５】
そして、従来のガス給湯装置においては、前記ドレン防止温度が一定値に設定されていた。しかし、本願発明者らは、このように熱交換器の出湯温度が一定のドレン防止温度となるように、熱交換器に供給される水の流量を制御したときに、熱交換器の熱効率が必ずしも良好なものとはならないことを知見した。
【０００６】
【発明が解決しようとする課題】
本発明は、ドレンの発生を防止するために熱交換器からの出湯温度を制限する場合において、熱交換器の熱効率を向上させたフロー式水加熱装置を提供することを目的とする。
【０００７】
【課題を解決するための手段】
本発明は上記目的を達成するためになされたものであり、供給される水を加熱して出湯する熱交換器と、該熱交換器を加熱するバーナと、該バーナの燃焼量を調節する燃焼量調節手段と、所定条件に応じて該バーナの目標燃焼量を決定する目標燃焼量決定手段と、前記燃焼量調節手段により前記バーナの燃焼量を前記目標燃焼量に制御する燃焼量制御手段と、前記熱交換器から出湯される湯の温度を検出する熱交温度センサと、前記熱交換器に供給される水の流量を調節する熱交流量調節手段と、前記熱交温度センサの検出温度が所定のドレン防止温度となるように前記熱交換器に供給される水の流量を前記熱交流量調節手段により調節する熱交流量制御手段とを備えたフロー式水加熱装置の改良に関する。
【０００８】
かかるフロー式水加熱装置においては、詳細は後述するが、前記バーナの燃焼量が一定の場合は、前記熱交換器に供給される水の流量を大きくして前記熱交換器の出湯温度を低くした方が前記熱交換器の熱効率が高くなる。また、前記バーナの燃焼量が小さい程、前記熱交換器の周囲の温度が低くなって前記熱交換器にドレンが生じ易くなるため、前記熱交換器にドレンが生じない下限温度が高くなる。
【０００９】
そのため、前記ドレン防止温度を一定値とした場合には、前記ドレン防止温度を前記バーナの燃焼量を最小設定としたときに前記熱交換器にドレンが生じない温度に設定する必要がある。しかし、この場合には、前記バーナの燃焼量が該最小設定よりも大きいときは、実際にドレンが生じない下限温度よりも前記熱交換器の出湯温度が高くなるように、前記熱交流量制御手段によって前記熱交換器に供給される水の流量が制御される。その結果、前記熱交換器に供給される水の流量が、ドレンの発生を防止するために実際に必要な最小の流量よりも少なくなって、前記熱交換器の熱効率が最良のものとはならない。
【００１０】
そこで、本発明は、前記バーナの燃焼量と前記熱交換器にドレンが生じない下限温度との相関データを予め記憶した記憶手段と、前記相関データに基づいて、前記目標燃焼量に対応した前記下限温度付近に前記ドレン防止温度を設定するドレン防止温度設定手段とを備える。
【００１１】
そして、前記ドレン防止温度設定手段により、前記相関データに基づいて、前記目標燃焼量に対応した前記下限温度付近に前記ドレン防止温度が設定される。また、前記熱交温度センサの検出温度がこのようにして設定されたドレン防止温度となるように、前記熱交流量制御手段によって前記熱交換器に供給される水の流量が調節される。そのため、前記熱交換器にドレンが生じない範囲で前記熱交換器に供給される水の流量が極力大きくなるように制御がなされ、これにより前記熱交換器の熱効率を高めることができる。
【００１２】
そして、本発明の第１の態様は、前記熱交換器は給水管から供給される水を加熱して給湯管に出湯し、前記熱交換器をバイパスして該給水管と該給湯管とを連通するバイパス管と、前記熱交流量調節手段であって前記熱交換器を流れる水の流量と前記バイパス管を流れる水の流量との比であるバイパス比を調節するバイパス比調節手段と、前記給湯管と前記バイパス管との合流箇所の下流側に供給される湯の温度を検出する給湯温度センサを備え、前記目標燃焼量決定手段は、前記所定条件として、前記給湯温度センサの検出温度が所定の目標給湯温度と一致するように前記目標燃焼量を決定し、前記熱交流量制御手段は、前記バイパス比調節手段により前記バイパス比を変更することによって、前記熱交換器に供給される水の流量を調節することを特徴とする。
【００１３】
かかる本発明によれば、前記給水管から供給される水の流量を変更することなく、前記給湯管と前記バイパス管の合流箇所の下流側に前記目標給湯温度の湯が該流量で供給されるように前記バーナの燃焼量を制御する場合において、前記熱交流量制御手段は、前記バイパス比を変更して前記熱交換器に供給される水の流量を調節し、前記熱交換器の出湯温度を前記ドレン防止温度設定手段により設定されたドレン防止温度とすることによって、前記目標給湯温度での給湯を行なうときの前記熱交換器の熱効率を高めることができる。
【００１４】
また、本発明の第２の態様は、前記熱交換器は循環回路を介して浴槽と連通し、前記浴槽内の水を前記循環回路及び前記熱交換器を介して循環させるポンプと、前記浴槽内の湯の温度を検出する風呂温度センサと、前記熱交流量調節手段であって前記ポンプの送水流量を変更することにより前記循環回路内を循環する水の流量を調節する循環流量調節手段とを備え、前記目標燃焼量決定手段は、前記所定条件として、所定の目標追焚き温度と前記風呂温度センサの検出温度との差に応じて前記目標燃焼量を決定し、前記熱交流量制御手段は、前記循環流量調節手段により前記循環回路内を循環する水の流量を変更することによって、前記熱交換器に供給される水の流量を調節することを特徴とする。
【００１５】
かかる本発明によれば、前記浴槽内の湯を前記熱交換器を介して循環させることによって追焚きし、前記風呂温度センサの検出温度と前記目標給湯温度との差に応じて前記バーナの燃焼量を制御する場合において、前記熱交流量制御手段は、前記循環流量調節手段により前記熱交換器に供給される水の流量を調整して、前記熱交換器の出湯温度を前記ドレン防止温度設定手段により設定されたドレン防止温度とすることによって、前記浴槽内の湯を追焚きするときの前記熱交換器の熱効率を高めることができる。
【００１６】
また、本発明の第３の態様は、前記熱交換器は循環回路を介して暖房端末と連通し、前記熱交換器で加熱された水を前記循環回路を介して前記暖房端末に供給すると共に、前記暖房端末で放熱された水を前記熱交換器に回収するポンプと、前記熱交換器をバイパスして前記循環回路の上流側と下流側を連通するバイパス管と、前記熱交流量調節手段であって前記熱交換器を流れる水の流量と前記バイパス管を流れる水の流量との比であるバイパス比を調節するバイパス比調節手段と、前記循環回路と前記バイパス管との合流箇所の下流側に供給される湯の温度を検出する給湯温度センサとを備え、前記目標燃焼量決定手段は、前記所定条件として、前記給湯温度センサの検出温度が所定の目標給湯温度と一致するように前記目標燃焼量を決定し、前記熱交流量制御手段は、前記バイパス比調節手段により前記バイパス比を変更することによって前記熱交換器に供給される水の流量を調節することを特徴とする。
【００１７】
かかる本発明によれば、前記暖房端末に前記目標給湯温度の湯が供給されるように前記バーナの燃焼量を制御する場合において、前記熱交流量制御手段は、前記循環流量調節手段により前記熱交換器に供給される水の流量を調節して、前記熱交換器の出湯温度を前記ドレン防止温度設定手段により設定されたドレン防止温度とすることによって、前記暖房端末から放熱して暖房を行なうときの前記熱交換器の熱効率を高めることができる。
【００１８】
また、前記第１の態様から第３の態様において、前記バーナは複数のバーナブロックから構成され、前記記憶手段は、燃焼させるバーナブロックの組合わせ毎に、前記バーナの燃焼量と前記熱交換器にドレンが生じない下限温度との相関データを記憶し、前記ドレン防止温度設定手段は、燃焼中のバーナブロックの組合わせに応じた前記相関データを選択し、選択した該相関データに基づいて前記ドレン防止温度を設定することを特徴とする。
【００１９】
かかる本発明によれば、前記バーナが複数のバーナブロックにより構成され、燃焼させるバーナブロックの組合わせにより前記熱交換器の周囲を流れる燃焼排ガスの量や経路が変化する。そのため、燃焼させるバーナブロックの組合わせに応じて、前記バーナの燃焼量に応じた前記熱交換器にドレンが生じない下限温度も変化する。
【００２０】
そこで、燃焼させるバーナブロックの組合わせ毎に、前記バーナの燃焼量と前記熱交換器にドレンが生じない下限温度との相関データを前記記憶手段に記憶しておき、燃焼中のバーナブロックの組合わせに応じた該相関データを選択することによって、燃焼させるバーナブロックの組合わせに対応した前記ドレン防止温度を適切に設定することができる。
【００２１】
また、前記第１の態様から第３の態様において、前記ドレン防止温度設定手段は、前記バーナの点火がなされてから所定時間内は、前記ドレン防止温度を前記下限温度よりも所定温度以上高く設定することを特徴とする。
【００２２】
かかる本発明によれば、前記バーナの点火がなされた後、前記所定時間内は、前記ドレン防止温度設定手段により前記ドレン防止温度が前記下限温度よりも所定温度高く設定される。その結果、前記熱交流量制御手段により、前記熱交換器からの出湯温度を高くするために前記熱交換器に供給される水の流量を減少する制御がなされ、前記熱交換器に供給される水による吸熱量が減少して前記熱交換器を迅速に加熱することができる。そのため、前記バーナが点火された直後に、前記熱交換器の温度が低くドレンが生じやすい状態となる時間を短縮することができる。
【００２３】
【発明の実施の形態】
本発明の実施の形態について、図１〜図５を参照して説明する。図１は本発明の第１の実施の形態における追焚き機能付き給湯装置の全体構成図、図２〜図３は図１に示した給湯装置の作動フローチャート、図４は図１に示した給湯装置におけるバーナの燃焼量と熱交換器の熱効率の関係を示したグラフとバーナの燃焼量からドレン防止温度を決定するための相関マップを示した図、図５は本発明の第２の実施の形態における暖房熱源装置の全体構成図である。
【００２４】
先ず、図１〜図４を参照して第１の実施の形態について説明する。図１を参照して、本発明のフロー式水加熱装置である給湯装置１は、給水管２から供給される水を加熱して給湯管３に供給する給湯部４と、浴槽５内の水を追焚き循環回路６（追焚き往き管６ａ及び追焚き戻り管６ｂ、本発明の循環回路に相当する）を介して追焚きする追焚き部７とからなる。
【００２５】
給湯部４には、給水管２及び給湯管３と連通した給湯熱交換器１０（本発明の熱交換器に相当する）、給湯熱交換器１０を加熱する給湯バーナ１１（本発明のバーナに相当する）、給湯バーナ１１を点火するための給湯点火プラグ１２、給湯点火プラグ１２に高電圧を印加するイグナイタ１３、給湯バーナ１１の燃焼炎の有無を検知する給湯フレームロッド１４、給湯バーナ１１に燃焼用空気を供給する給湯燃焼ファン１５（本発明の燃焼量調節手段に相当する）、及び給湯熱交換器１０から出湯される湯の温度を検出する給湯熱交温度センサ１６（本発明の熱交温度センサに相当する）が備えられている。
【００２６】
なお、給湯バーナ１１は、第１バーナブロック１１ａ（本発明のバーナブロックに相当する）と第２バーナブロック１１ｂ（本発明のバーナブロックに相当する）により構成されている。
【００２７】
そして、給水管２には、給水流量を検出する給水流量センサ２０、給水温度を検出する給水温度センサ２１、給水流量を調節する給水サーボ弁２２が備えられている。また、給湯熱交換器１０をバイパスして給水管２と給湯管３を連通するバイパス管３０に、バイパス管３０の開度を調節するバイパスサーボ弁３１（本発明のバイパス比調節手段に相当する）が備えられ、給湯管３とバイパス管３０との合流箇所の下流に、給湯温度を検出する給湯温度センサ３２が備えられている。
【００２８】
さらに、給湯部４には、燃料ガスが供給されるガス供給管４０を開閉する元電磁弁４１、ガス供給管４０から分岐した給湯ガス管４２の開度を調節する給湯ガス比例弁４３（本発明の燃焼量調節手段に相当する）、給湯ガス管４２から第１バーナブロック１１ａへの燃料ガスの供給／遮断を切換える第１切換電磁弁４４ａ、及び給湯ガス管４２から第２バーナブロック１１ｂへの燃料ガスの供給／遮断を切換える第２切換電磁弁４４ｂが備えられている。
【００２９】
一方、追焚き部７には、追焚き循環回路６と連通した追焚き熱交換器５０（本発明の熱交換器に相当する）、追焚き熱交換器５０を加熱する追焚きバーナ５１（本発明のバーナに相当する）、追焚きバーナ５１を点火するための追焚き点火プラグ５２、追焚きバーナ５１の燃焼炎の有無を検知する追焚きフレームロッド５３、追焚きバーナ５１に燃焼用空気を供給する追焚き燃焼ファン５４、追焚き熱交換器５０から出湯される湯の温度を検出する追焚き熱交温度センサ５５（本発明の熱交温度センサに相当する）、浴槽５内の湯を追焚き循環回路６内に循環させるための追焚きポンプ５６（本発明のポンプに相当する）、追焚き循環回路６中の水の有無を検知する循環水流スイッチ５７、追焚き戻り管６ｂ内を流通する浴槽５内の湯の温度を検出する風呂温度センサ５８、及びガス供給管４０から分岐した追焚きガス管６０の開度を調節する追焚きガス比例弁６１が備えられている。
【００３０】
また、給湯管３を追焚き循環回路６と連通する湯張り中継管７０が設けられ、湯張り中継管７０の途中箇所に、湯張り中継管７０を開閉する湯張り中継弁７１と湯張り中継管７０を流れる湯の流量を検出する湯張り流量センサ７２が備えられている。
【００３１】
そして、マイクロコンピュータ等により構成されたコントローラ８０（本発明の目標燃焼量決定手段、燃焼量制御手段、熱交流量制御手段、記憶手段、及びドレン防止温度設定手段の機能を含む）によって、給湯装置１の作動が制御される。
【００３２】
コントローラ８０には、給湯装置１の運転／停止の指示や運転条件の設定を行なうと共に給湯装置１の運転状況等を表示するリモコン８１が接続され、リモコン８１からの各種の指示信号と、給湯フレームロッド１４、給湯熱交温度センサ１６、給水流量センサ２０、給水温度センサ２１、給湯温度センサ３２、追焚きフレームロッド５３、追焚き熱交温度センサ５５、循環水流スイッチ５７、風呂温度センサ５８、及び湯張り流量センサ７２からの検出信号とが入力される。
【００３３】
また、コントローラ８０から出力される制御信号によって、イグナイタ１３、給湯燃焼ファン１５、給水サーボ弁２２、バイパスサーボ弁３１、元電磁弁４１、給湯ガス比例弁４３、第１切換電磁弁４４ａ、第２切換電磁弁４４ｂ、追焚き燃焼ファン５４、追焚きポンプ５６、追焚きガス比例弁６１、及び湯張り中継弁７１の作動が制御される。
【００３４】
次に、コントローラ８０による給湯運転の実行手順について、図２〜図３に示したフローチャートに従って説明する。コントローラ８０は、給水流量センサ２０の検出信号により給水管２からの給水が開始されたことを検知すると、図２のＳＴＥＰ１からＳＴＥＰ２に進んで、給湯バーナ１１の点火処理を行なう。すなわち、給湯燃焼ファン１５を作動させ、イグナイタ１３により給湯点火プラグ１２に高電圧を印加して火花放電を生じさせた状態で、元電磁弁４１、給湯ガス比例弁４３、第１切換電磁弁４４ａ、及び第２切換電磁弁４４ｂを開弁して給湯バーナ１１に燃料ガスを供給し、給湯バーナ１１に点火する。
【００３５】
そして、コントローラ８０は、ＳＴＥＰ３で１分タイマをスタートする。この１分タイマは、後述するＳＴＥＰ２０の処理により、給湯バーナ１１の点火後１分間（本発明の所定時間に相当する）が経過するまでは、給湯熱交換器１０に供給される水の流量を減少させて、給湯熱交換器１０を速やかに加熱するためのものである。
【００３６】
次のＳＴＥＰ４で、コントローラ８０は、給水温度センサ２１により検出される給水管２からの給水温度と、給水流量センサ２０により検出される給水管２からの給水流量と、リモコン８１により設定された目標給湯温度とに応じて、該目標給湯温度の給湯が得られる給湯バーナ１１の目標燃焼量（Ｑa）を決定する。そして、給湯温度センサ３２により検出される実際の給湯温度が目標給湯温度と一致するように、給湯バーナ１１の目標燃焼量（Ｑa）を微調整する。
【００３７】
続くＳＴＥＰ５で、コントローラ８０は、給湯バーナ１１の燃焼量が目標燃焼量（Ｑa）となるように、給湯燃焼ファン１５の回転数を調節して給湯バーナ１１への燃焼用空気の供給流量を制御すると共に、給湯ガス比例弁４３により給湯ガス管４２の開度を調節して給湯バーナ１１への燃料ガスの供給流量を制御する。
【００３８】
なお、ＳＴＥＰ４が本発明の目標燃焼量決定手段による処理に相当し、ＳＴＥＰ５が本発明の燃焼制御手段による処理に相当する。
【００３９】
そして、次のＳＴＥＰ６で、コントローラ８０は、予めメモリ（図示しない、本発明の記憶手段に相当する）に記憶した、図４（ｂ）に示した目標燃焼量（Ｑa）とドレン防止温度（Ｔd）との相関関係を示した相関マップ（本発明の相関データに相当する。以下Ｑa／Ｔdマップという）に、ＳＴＥＰ４で決定した目標燃焼量（Ｑa）を適用して、該目標燃焼量（Ｑa）に対応したドレン防止温度（Ｔd）を得る。なお、ＳＴＥＰ６は本発明のドレン防止温度設定手段による処理に相当する。
【００４０】
図４（ｂ）に示したＱa／Ｔdマップは、予め実験により測定した目標燃焼量（Ｑa，横軸）と、該目標燃焼量（Ｑa）で給湯バーナ１１を燃焼させたときに、給湯熱交換器１０からドレンが発生しないようにするために必要な給湯熱交換器１０からの出湯温度の下限温度との相関データをマップ化したものであり、給湯熱交換器１０の固体差等を考慮して、測定された下限温度よりも若干（例えば２℃）高い温度にドレン防止温度（Ｔd）が設定されている。
【００４１】
コントローラ８０は、給湯熱交温度センサ１６の検出温度が、目標燃焼量（Ｑa）をＱa／Ｔdマップに適用して得られたドレン防止温度（Ｔd）以上となるように、給湯熱交換器１０に供給される水の流量を制御することによって、給湯熱交換器１０からドレンが発生し、該ドレンの付着により給湯熱交換器１０の劣化が生じることを防止することができる。
【００４２】
そして、図４（ｂ）中、▲１▼は第１給湯バーナ１１ａと第２給湯バーナ１１ｂの双方を燃焼させた場合（全燃焼）の相関マップを示し、▲２▼は第１給湯バーナ１１ａのみを燃焼させた場合（１／２燃焼）の相関マップを示している。図２（ｂ）に示したように、１／２燃焼の場合と全燃焼の場合とでは、目標燃焼量（Ｑa）におけるドレン防止温度が異なるため、１／２燃焼用のＱa／Ｔdマップ（▲２▼）と、全燃焼用のＱa／Ｔdマップ（▲１▼）を用意することによって、より精度良くドレン防止温度（Ｔd）を設定することができる。
【００４３】
また、ＳＴＥＰ７で１分タイマがタイムアップしていないとき（給湯バーナ１１の点火から１分が経過していないとき）は、ＳＴＥＰ２０に分岐し、コントローラ８０は、ドレン防止温度（Ｔd）を５℃高く設定する。これにより、給湯開始時に給湯熱交換器１０の温度が速やかに上昇するようにし、給湯開始後、給湯熱交換器１０の温度が低くドレンが生じやすい状態となる時間を短縮している。
【００４４】
また、図４（ａ）は、ある燃焼量で給湯バーナ１１を燃焼させた状態で給湯熱交換器１０に供給する水の流量を変化させたときの、給湯熱交換器１０からの出湯温度（Ｔout）と給湯熱交換器１０の熱効率（α）との関係を示したグラフである。図４（ａ）のグラフから明らかなように、給湯バーナ１１の燃焼量が一定であれば、給湯熱交換器１０に供給される水の流量を増やして給湯熱交換器１０からの出湯温度（Ｔout）を下げた方が、給湯熱交換器１０の熱効率（α）が高くなる。
【００４５】
そこで、図３のＳＴＥＰ８で、コントローラ８０は、給湯熱交温度センサ１６の検出温度がドレン防止温度（Ｔd）となるように、バイパスサーボ弁３１によりバイパス比を調節する。これにより、給湯バーナ１１の目標燃焼量（Ｑa）に対して、給湯熱交換器１０からドレンが生じない範囲で、給湯熱交換器１０に供給される水の流量を極力多くするように制御されるため、給湯熱交換器１０の熱効率をより良好なものとすることができる。なお、ＳＴＥＰ８は、本発明の熱交流量制御手段による処理に相当する。
【００４６】
そして、続くＳＴＥＰ９で、給水流量センサ２０により給水管２からの給水が検知されたときは図２のＳＴＥＰ４に戻って給湯運転を継続し、給水管２からの給水が検知されないときには、ＳＴＥＰ１０に進んで給湯バーナ１１の燃焼を停止し、給湯運転を終了して図２のＳＴＥＰ１に戻る。
【００４７】
次に、コントローラ８０は、リモコン８１により浴槽５への湯張り指示がなされたときは、湯張り中継弁７１を開弁して湯張り運転を開始する。
【００４８】
湯張り中継弁７１が開弁されると、給水管２からの給水が開始され、上述した給湯運転の場合と同様に、コントローラ８０は、給湯温度センサ３２の検出温度がリモコン８１により設定された目標湯張り温度となるように、給湯バーナ１１の目標燃焼量（Ｑa）を決定し、給湯熱交温度センサ１６の検出温度が目標燃焼量（Ｑa）をＱa／Ｔdマップに適用して設定したドレン防止温度（Ｔd）となるように、バイパスサーボ弁３１によりバイパス比を調節する。これにより、湯張り運転時の給湯熱交換器１０の熱効率をより良好なものとしている。
【００４９】
そして、コントローラ８０は、湯張り流量センサ７２の検出信号から浴槽５に供給された湯の累積量を算出し、該累積量がリモコン８１により設定された目標湯張り量に達したときに、湯張り中継弁７１を閉弁して湯張り運転を終了する。
【００５０】
次に、リモコン８１により追焚きの指示がなされたときは、コントローラ８０は追焚き運転を開始する。
【００５１】
追焚き運転においては、コントローラ８０は、追焚きポンプ５６（本発明のポンプに相当する）を作動させて浴槽５内の水を循環戻り管６ｂを介して追焚き熱交換器５０に供給し、追焚き熱交換器５０から出湯される湯を循環往き管６ａを介して浴槽５に戻すことにより、浴槽５内の水の追焚きを行なう。
【００５２】
コントローラ８０は、追焚き燃焼ファン５４を作動させ、イグナイタ１３により追焚き点火プラグ５２に火花放電を生じさせた状態で、元電磁弁４１と追焚きガス比例弁６１を開弁して追焚きバーナ５１に燃料ガスを供給し、追焚きバーナ５１に点火する。
【００５３】
そして、コントローラ８０は、先ず、追焚きバーナ５１の最大能力を目標燃焼量（Ｑa）として追焚きバーナ５１の燃焼量を制御し、風呂温度センサ５８の検出温度とリモコン８１により設定された目標追焚き温度との差が所定温度以下となった後は、追焚きバーナ５１の最大能力の１／２を目標燃焼量（Ｑa）として追焚きバーナ５１の燃焼量を制御する。
【００５４】
そして、浴槽温度センサ５８の検出温度が目標追焚き温度に達したときに、コントローラ８０は、元電磁弁４１と追焚きガス比例弁６１を閉弁して追焚きバーナ５１の燃焼を停止し、追焚き燃焼ファン５４と追焚きポンプ５６の作動を停止して追焚き運転を終了する。
【００５５】
ここで、コントローラ８０は、追焚きバーナ５１の最大能力における燃焼量に対応したドレン防止温度（Ｔd）と、最大能力の１／２における燃焼量に対応したドレン防止温度（Ｔd）のデータを予めメモリに記憶している。なお、この最大能力における燃焼量と最大能力の１／２における燃焼量に対応したドレン防止温度（Ｔd）のデータが本発明の相関データに相当し、ドレン防止温度（Ｔd）は、上述した給湯熱交換器１０における場合と同様に、予め実験等により決定される。
【００５６】
そして、コントローラ８０は、追焚き運転中、追焚き熱交温度センサ５５の検出温度が、追焚きバーナ５１の目標燃焼量（Ｑa）に応じたドレン防止温度（Ｔd）となるように、追焚きポンプ５６の送水量を調節して追焚き熱交換器５０に供給される水の流量を制御し、これにより追焚き熱交換器５０の熱効率をより良好なものとしている。
【００５７】
次に、図５を参照して、本発明の第２の実施の形態について説明する。本発明のフロー式水加熱装置である暖房熱源装置１００は、暖房循環回路１０１（暖房往き管１０１ａ，暖房戻り管１０１ｂ、本発明の循環回路に相当する）を介して床暖房端末１０２（本発明の暖房端末に相当する）と接続され、暖房循環回路１０１を介して床暖房端末１０２に湯を供給する。そして、これにより、床暖房端末１０２から放熱がなされる。
【００５８】
暖房熱源装置１００には、暖房循環回路１０１と連通した暖房熱交換器１１０、暖房熱交換器１１０を加熱する暖房バーナ１１１、暖房バーナ１１１を点火するための暖房点火プラグ１１２、暖房点火プラグ１１２に高電圧を印加するイグナイタ１１３、暖房バーナ１１１の燃焼炎の有無を検知する暖房フレームロッド１１４、暖房バーナ１１１に燃焼用空気を供給する暖房燃焼ファン１１５、及び暖房熱交換器１１０から出湯される湯の温度を検出する暖房熱交温度センサ１１６が備えられている。
【００５９】
また、暖房熱交換器１１０をバイパスして暖房往き管１０１ａと暖房戻り管１０１ｂを連通するバイパス管１２０には、バイパス管１２０の開度を調節するバイパスサーボ弁１２１が備えられ、暖房往き管１０１ａとバイパス管１２０との合流箇所の下流には、床暖房端末１０２に供給される湯の温度を検出する給湯温度センサ１２２が備えられている。
【００６０】
さらに、暖房熱源装置１００には、暖房循環回路１０１内に湯を循環させるための暖房ポンプ１２３（本発明のポンプに相当する）、燃料ガスが供給されるガス供給管１３０を開閉する元電磁弁１３１、ガス供給管１３０の開度を調節する暖房ガス比例弁１３２が備えられている。
【００６１】
そして、マイクロコンピュータ等により構成されたコントローラ１４０（本発明の目標燃焼量決定手段、燃焼量制御手段、熱交流量制御手段、記憶手段、ドレン防止温度設定手段の機能を含む）によって、暖房熱源装置１００の作動が制御される。
【００６２】
コントローラ１４０には、床暖房端末１０２の作動／停止の指示や暖房運転の条件設定を行なうと共に暖房熱源装置１００の運転状況等を表示するリモコン１４１が接続され、リモコン１４１からの各種の指示信号と、暖房フレームロッド１１４、暖房熱交温度センサ１１６、給湯温度センサ１２２、及びリモコン１４１に備えられた室温センサ１４２の検出信号とが入力される。
【００６３】
また、コントローラ１４０から出力される制御信号によって、イグナイタ１１３、暖房燃焼ファン１１５、元電磁弁１３１、暖房ガス比例弁１３２、バイパスサーボ弁１２１、及び暖房ポンプ１２３の作動が制御される。
【００６４】
コントローラ１４０は、リモコン１４１により暖房運転の開始が指示されたときに、暖房ポンプ１２３を作動させて暖房熱交換器１１０で加熱された水を暖房往き管１０１ａを介して床暖房端末１０２に送出すると共に、床暖房端末で放熱した水を暖房戻り管１０１ｂを介して暖房熱交換器１１０に回収する暖房運転を開始する。
【００６５】
コントローラ１４０は、先ず、暖房燃焼ファン１１５を作動させ、イグナイタ１１３により暖房点火プラグ１１２に火花放電を生じさせた状態で、元電磁弁１３１と暖房比例弁１３２を開弁して暖房バーナ１１１に燃料ガスを供給し、暖房バーナ１１１に点火する。
【００６６】
そして、コントローラ１４０は、給湯温度センサ１２２の検出温度が所定の給湯目標温度（例えば８０℃）となるように、暖房バーナ１１１の目標燃焼量（Ｑa）を決定し、暖房バーナ１１１の燃焼量が該目標燃焼量（Ｑa）となるように、暖房燃焼ファン１１５の回転数を調節して暖房バーナ１１１への燃焼用空気の供給流量を制御すると共に、暖房ガス比例弁１３２によりガス供給管１３０の開度を調節して暖房バーナ１１１への燃料ガスの供給流量を制御する。
【００６７】
また、コントローラ１４０は、暖房ポンプを１２３を作動させて、暖房熱交換器１１０で加熱された湯を暖房循環回路１０１を介して床暖房端末１０２に供給し、これにより床暖房端末１０２からの放熱によって床暖房装置１０２が設置された室内が暖房される。
【００６８】
ここで、コントローラ１４０のメモリ（図示しない）には、上述した第１の実施の形態におけるコントローラ８０と同様に、暖房バーナ１１１の目標燃焼量（Ｑa）から該目標燃焼量（Ｑa）に対応したドレン防止温度（Ｔd）を得るためのＱa／Ｔdマップが予め記憶されている。
【００６９】
そして、コントローラ１４０は、目標燃焼量（Ｑa）をＱa／Ｔdマップに適用して該目標燃焼量（Ｑa）に対応したドレン防止温度（Ｔd）を決定し、暖房熱交温度センサ１１６の検出温度が該ドレン防止温度（Ｔd）となるように、バイパスサーボ弁１２１の開度を調節して暖房熱交換器１１０に供給される湯の流量を制御する。
【００７０】
このように、暖房熱交換器１１０から出湯される湯の温度がドレン防止温度（Ｔd）となるように暖房熱交換器１１０に供給される水の流量を制御することによって、暖房運転時における暖房熱交換器１１０の熱効率をより良好なものとすることができる。
【００７１】
また、コントローラ１４０は、室温センサ１４２の検出温度がリモコン１４１により設定された目標室温を超えたときに暖房運転を中断し、室温センサ１４２の検出温度が該目標室温よりも所定温度（例えば２℃）下がったときに暖房運転を再開することによって、室内の温度がほぼ該目標室温となるようにする制御を行なう。
【００７２】
なお、前記第１及び第２の実施の形態においては、本発明の相関データとして、目標燃焼量（Ｑa）と実験等により決定した該目標燃焼量（Ｑa）における熱交換器からドレンが生じない下限温度よりも所定温度高く設定したドレン防止温度（Ｔd）との対応関係をマップ化したマップデータ（Ｑa／Ｔdマップ）を用いたが、目標燃焼量（Ｑa）と該目標燃焼量（Ｑa）における熱交換器からドレンが生じない下限温度との対応関係をマップ化したマップデータを本発明の相関データとして用い、該相関データに目標燃焼量（Ｑa）を適用して得られる該下限温度よりも所定温度高い温度をドレン防止温度（Ｔd）として設定するようにしてもよい。
【００７３】
また、前記第１及び第２の実施の形態においては、本発明の相関データとしてマップデータ（Ｑa／Ｔdマップ）を用いたが、目標燃焼量（Ｑa）を入力して該目標燃焼量（Ｑa）に対応したドレン防止温度（Ｔd）を出力する数式データを用いてもよい。
【００７４】
また、前記第１の実施の形態の給湯運転においては、熱交換器の加熱開始から所定時間が経過するまで、ドレン防止温度（Ｔd）を高く設定して熱交換器の温度を速やかに高める処理を行なったが、この処理を行なわない場合であっても本発明の効果を得ることができる。
【００７５】
また、前記第１の実施の形態の給湯運転における場合と同様に、前記第１の実施の形態の湯張り運転と追焚き運転、及び前記第２の実施の形態においても、熱交換器の加熱開始から所定時間が経過するまで、ドレン防止温度（Ｔd）を高く設定して熱交換器の温度を速やかに高める処理を行なってもよい。
【００７６】
また、前記第１の実施の形態では、第１バーナブロック１１ａと第２バーナブロック１１ｂという２個のバーナブロックからなる給湯バーナ１１を示したが、３個以上のバーナブロックにより給湯バーナを構成してもよい。この場合には、燃焼させるバーナブロックの組合わせ毎に、目標燃焼量（Ｑa）とドレン防止温度（Ｔd）との相関データを用意して予めメモリに記憶し、燃焼させるバーナブロックの組合わせに応じて選択した相関データに基づいてドレン防止温度を決定するようにしてもよい。
【００７７】
また、追焚きバーナ５１及び暖房バーナ１１１も、給湯バーナ１１と同様に、複数のバーナブロックにより構成してもよい。
【図面の簡単な説明】
【図１】本発明の第１の実施の形態における追焚き機能付き給湯装置の全体構成図。
【図２】図１に示した給湯装置の作動フローチャート。
【図３】図１に示した給湯装置の作動フローチャート。
【図４】図１に示した給湯装置におけるバーナの燃焼量と熱交換器の熱効率との関係を示したグラフ及びバーナの燃焼量からドレン防止温度を決定するための相関マップを示した図。
【図５】本発明の第２の実施の形態における暖房熱源装置の全体構成図。
【符号の説明】
１…追焚き機能付き給湯装置、４…給湯部、７…追焚き部、１０…給湯熱交換器、１１…給湯バーナ、１５…給湯燃焼ファン、１６…給湯熱交温度センサ、３０…バイパス管、３１…バイパスサーボ弁３１、５０…追焚き熱交換器、５１…追焚きバーナ、５４…追焚き燃焼ファン、５５…追焚き熱交温度センサ、５６…追焚き循環ポンプ、１００…暖房熱源装置、１０３…床暖房端末、１１０…暖房熱交換器、１１１…暖房バーナ、１１５…暖房燃焼ファン、１１６…暖房熱交温度センサ、１２０…バイパス管、１２１…バイパスサーボ、１２３…暖房循環ポンプ、１４０…コントローラ
【図１】
0003878476.tif 000002
【図２】
0003878476.tif 000003
【図３】
0003878476.tif 000004
【図４】
0003878476.tif 000005
【図５】
0003878476.tif 000006